(57)【要約】【課題】開口部への設置後に、開口部から出入りすることを可能とする開口部の防水装置を提供すること。【解決手段】防水装置１は、構造物Ｓの屋内側と屋外側とを連通しかつ開閉扉４によって開閉される開口部Ｏを開口状態で遮るように開閉扉４よりも屋外側に設置される補強板５０と、補強板５０よりも屋外側に設置されるシート１０と、シート１０を開閉扉４よりも屋外側に保持する保持部材２０とを備える。保持部材２０は、シート１０が開閉扉４の鉛直方向下端側の所定部４１と、構造物Ｓのうち所定部４１に隣接する部分とを覆い、かつシート下部１３が床面７に沿って屋外側に延在するようにシート１０を保持する。補強板５０は、開口部Ｏの中央部を開放した開閉扉４の扉５の扉側縦方立５ａの屋外側に立て掛けられて設置される。【選択図】図１
2015140563.tif 000002
【特許請求の範囲】
【請求項１】
構造物の屋内側と屋外側とを連通し、かつ開閉体によって開閉される開口部を開口状態で遮るように前記開閉体よりも前記屋外側に設置される補強板と、
前記補強板よりも前記屋外側に設置されるシートと、
前記シートが前記開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように、前記シートを前記開閉体よりも屋外側に位置付けて、前記シートの幅方向の端を保持する保持部材と、を備える
ことを特徴とする開口部の防水装置。
【請求項２】
前記補強板は、前記開口部の一部を開放した前記開閉体の前記屋外側に立て掛けられて設置される
ことを特徴とする請求項１に記載の開口部の防水装置。
【請求項３】
前記補強板は、前記構造物の前記開口部を囲む壁部の前記屋外側に立て掛けられて設置される
ことを特徴とする請求項１に記載の開口部の防水装置。
【請求項４】
前記補強板は、前記開口部を遮るように前記開閉体よりも前記屋外側に設置される補強部と、前記補強部の下端に連なりかつ前記床面に重ねられる床載置部とを備える
ことを特徴とする請求項１から請求項３のうちいずれか一項に記載の開口部の防水装置。
【請求項５】
前記補強板は、内部に多数の空隙が設けられた軽量部材と、前記軽量部材の両表面に取り付けられた板材とを備えることを特徴とする請求項１から請求項４のうちいずれか一項に記載の開口部の防水装置。
【請求項６】
前記補強板の鉛直方向の長さは、１６ｃｍから３８ｃｍであることを特徴とする請求項１から請求項５のうちいずれか一項に記載の開口部の防水装置。
【発明の詳細な説明】
【技術分野】
【０００１】
本発明は、開口部の防水装置に関する。
【背景技術】
【０００２】
従来、開閉体によって開閉される開口部からの浸水を抑制する技術が提案されている。例えば、特許文献１には、開閉体としてのシャッターの裏面には、屈曲自在な防水シートが設けられていると共に、シャッターの幅方向の端を案内するガイド部材には、防水シートと対向するようにしてシール部材が設けられたシャッター装置の技術が開示されている。特許文献１に示されたシャッター装置は、氾濫水等の水圧がシャッターの表面に作用すると、防水シートがシール部材に圧接されるようになっている、浸水防止機能を備えている。
【先行技術文献】
【特許文献】
【０００３】
【特許文献１】特許第４４５９７４０号公報
【発明の概要】
【発明が解決しようとする課題】
【０００４】
前述した特許文献１に示された技術では、開口部に設置してしまうと、シャッターの裏面に防水シートを取り付けているために、開口部から出入りすることができない。このように、前述した特許文献１に示された技術では、開口部への設置後に、開口部から出入りすることができない。
【０００５】
本発明の目的は、開口部への設置後に、開口部から出入りすることを可能とする開口部の防水装置を提供することである。
【課題を解決するための手段】
【０００６】
本発明の開口部の防水装置は、構造物の屋内側と屋外側とを連通し、かつ開閉体によって開閉される開口部を開口状態で遮るように前記開閉体よりも前記屋外側に設置される補強板と、前記補強板よりも前記屋外側に設置されるシートと、前記シートが前記開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように、前記シートを前記開閉体よりも屋外側に位置付けて、前記シートの幅方向の端を保持する保持部材と、を備えることを特徴とする。
【０００７】
上記開口部の防水装置では、シートと開閉体との間に開口部を遮るように屋外側に補強板を設けているので、開閉体が開口部の少なくとも一部を開放した状態でもシートに開口部からの浸水を抑制することができる。このように、開閉体が開口部の少なくとも一部を開放した状態で補強板を設置することで、少なくとも一部の開放された開口部を通して出入りすることができる。したがって、開口部の防水装置は、開口部への設置後に、開口部から出入りすることを可能とすることができる。また、開口部の防水装置は、シートにより開口部からの浸水を抑制するので、軽量化を図ることができ、開口部に設置されない状態では、シートを折りたたむことができ、コンパクトに収納しておくことができる。
【０００８】
上記開口部の防水装置において、前記補強板は、前記開口部の一部を開放した前記開閉体の前記屋外側に立て掛けられて設置されるものとすることができる。
【０００９】
上記開口部の防水装置では、補強板が開口部の一部を開放した開閉体に立て掛けられているので、設置後に補強板が倒れることを抑制できるとともに、開放された開口部の一部を通して構造物に出入りすることができる。
【００１０】
上記開口部の防水装置において、前記補強板は、前記構造物の前記開口部を囲む壁部の前記屋外側に立て掛けられて設置されるものとすることができる。
【００１１】
上記開口部の防水装置では、補強板が開口部を囲む壁部に立て掛けられているので、開口部の少なくとも一部を開放した状態でも確実に設置することができる。また、補強板が開口部を囲む壁部に立て掛けられているので、設置後に補強板が倒れることを抑制できるとともに、開放された開口部の一部を通して構造物に出入りすることができる。
【００１２】
上記開口部の防水装置において、前記補強板は、前記開口部を遮るように前記開閉体よりも前記屋外側に設置される補強部と、前記補強部の下端に連なりかつ前記床面に重ねられる床載置部とを備えるものとすることができる。
【００１３】
上記開口部の防水装置では、補強板が補強部と床載置部とを備えているので、床載置部を床面上に設置すると、補強部が倒れることを抑制できる。したがって、開口部の少なくとも一部を開放した状態であっても、シートにより開口部からの浸水をより確実に抑制することができる。
【００１４】
上記開口部の防水装置において、前記補強板は、内部に多数の空隙が設けられた軽量部材と、前記軽量部材の両表面に取り付けられた板材とを備えるものとすることができる。
【００１５】
上記開口部の防水装置では、補強板が板材間に軽量部材を設けているので、板材間の間隔を確保して、補強板自体の強度を確保することができる。また、板材間に設けられた軽量部材は多数の空隙が設けられているので、軽量部材、即ち、補強板の軽量化を図ることができる。したがって、補強板の軽量化と強度の確保との両立を図ることができる。
【００１６】
上記開口部の防水装置において、前記補強板の鉛直方向の長さは、１６ｃｍから３８ｃｍであるものとすることができる。
【００１７】
上記開口部の防水装置では、前記補強板の鉛直方向の長さは、１６ｃｍから３８ｃｍであるので、開口部への設置後に、開口部から出入りすることを確実に可能とすることができる。
【発明の効果】
【００１８】
本発明に係る開口部の防水装置は、開口部への設置後に、開口部から出入りすることを可能とすることができるという効果を奏する。
【図面の簡単な説明】
【００１９】
【図１】図１は、本発明の実施形態１に係る開口部の防水装置を示す斜視図である。
【図２】図２は、実施形態１に係る開口部の防水装置により防水される開口部などを示す斜視図である。
【図３】図３は、実施形態１に係る開口部の防水装置の補強板を示す斜視図である。
【図４】図４は、図３中のＩＶ−ＩＶ線に沿う断面図である。
【図５】図５は、本発明の実施形態２に係る開口部の防水装置を示す斜視図である。
【図６】図６は、本発明の実施形態１及び２の変形例１に係る開口部の防水装置の補強板等を示す斜視図である。
【図７】図７は、本発明の実施形態１及び２の変形例２に係る開口部の防水装置の補強板を示す斜視図である。
【図８】図８は、本発明の実施形態１及び２の変形例３に係る開口部の防水装置の補強板を示す斜視図である。
【発明を実施するための形態】
【００２０】
以下に、本発明の実施形態に係る開口部の防水装置につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００２１】
［実施形態１］
図１から図４を参照して、実施形態１について説明する。実施形態１は、構造物の開口部を防水する開口部の防水装置に関する。図１は、本発明の実施形態１に係る開口部の防水装置を示す斜視図、図２は、実施形態１に係る開口部の防水装置により防水される開口部などを示す斜視図、図３は、実施形態１に係る開口部の防水装置の補強板を示す斜視図、図４は、図３中のＩＶ−ＩＶ線に沿う断面図である。
【００２２】
建物等の構造物の外部開口部には、開閉体としてのシャッターや開閉扉が付けられることが多い。例えば、洪水時などに浸水しやすい地下駐車場の入口や、浸水すると商品が毀損されやすい店舗の入口等にもシャッターや開閉扉が付けられていることが多い。シャッターは、隙間が多い構造であるため、ゲリラ豪雨や洪水時にはシャッターの隙間を介した浸水によってこれらの施設が被害に遭う可能性がある。また、開閉扉には、扉間及び各扉と開口部との間に隙間があるために、ゲリラ豪雨や洪水時には隙間を介した浸水によって店舗等の施設が被害に遭う可能性がある。
【００２３】
浸水対策として、シャッターや開閉扉の下部を防水板（パネル）に変更する方法も考えられるが、一般的に高額となりやすいため、ユーザーにとって受け入れにくい場合がある。
【００２４】
本実施形態の開口部の防水装置１は、開閉体としてのシャッターや開閉扉の前にシートを設置して、簡易的にかつ安価に止水することを可能とする。シートは、開閉体とその周囲の構造物とを一体に覆うことで、開閉体と構造物との隙間を閉塞し、適切に止水することができる。よって、本実施形態の開口部の防水装置１によれば、水害による建物内部の被害を軽減することができる。
【００２５】
図１に示す開口部の防水装置１は、構造物Ｓの開口部Ｏ（図２等に示す）を閉塞し、屋外側から屋内側への水の浸入を抑制するものである。構造物Ｓは、例えば、工場、倉庫、車庫、店舗、家屋等の建築構造物であり、開口部Ｏを有している。開口部Ｏは、構造物Ｓのガラスなどの透明又は半透明の材料で構成された壁部３等に形成されており、構造物Ｓの屋外側と屋内側とを連通している。本実施形態では、開口部Ｏは、アルミニウム合金で構成されかつ壁部３よりも厚い縦方立３ａ（壁部に相当）などにより囲まれている。また、本実施形態では、壁部３の下端部には、図１及び図２に示すように、壁部３よりも厚い幅木６が設けられている。
【００２６】
屋内側、屋外側とは説明上分かりやすくするための便宜上の表現であって、屋外側とは、水が浸入する場合の上流側のことであり、屋内側とは、上流側から水が浸入する可能性がある側であり、本発明においては水が浸入してくるのを阻止や抑制したい側のことである。開閉扉や壁等とともに開口部の防水装置１を、例えば単なる道路の防水用仕切りとして使用したり、外部空間における門等の箇所に取り付ける等のように、家屋や部屋等の概念がない箇所に設けても良い。また、開口部Ｏは、前述の屋外側と屋内側とを連通するものとすることができる。本実施形態の開口部Ｏは、構造物Ｓの外殻をなす壁部３に形成されており、壁部３を貫通して構造物Ｓの屋外と屋内とを連通している。なお、これに限らず、開口部Ｏは、構造物Ｓの内部を仕切る壁部に形成されたものであってもよい。また、壁部は、予め十分な止水性を有するものが好ましいが、例えば、嵌め殺しサッシ、塀などの許容できる範囲内で水漏れするもの、又は、別途止水性を付加（例えば、土嚢の設置や公知の水密処理など）して止水性を発揮するものでもよい。
【００２７】
前述した開口部Ｏには、当該開口部Ｏを開閉する開閉体としての開閉扉４が設けられている。開閉扉４は、図２等に示すように、開閉方向、本実施形態では左右水平方向に移動する扉５を一対備えている。
【００２８】
開閉扉４の一対の扉５は、図示しないガイドレールによって案内される。ガイドレールは、開口部Ｏの上下両端に設けられ、壁部３の表面と平行である。扉５の上下方向の両端部は、それぞれガイドレールの溝部に挿入されている。溝部は、開閉方向即ち左右水平方向に延在しており、扉５を開閉方向、即ち、左右方向に移動自在に案内する。扉５の幅方向の両端には、扉５よりも厚い扉側縦方立５ａが設けられ、扉５の下端部には、扉５よりも厚い扉側幅木５ｂが設けられている。扉側縦方立５ａの厚みと扉側幅木５ｂの厚みは等しい。なお、本発明でいう床面とは、説明上分かりやすくするための便宜上の表現であって、通常の床面７のみならず、コンクリート面や地面等の開口部Ｏの下方に位置する面を総称する。
【００２９】
開閉扉４は、一対の扉５が互いに近付いて開口部Ｏを閉塞し、一対の扉５が互いに離間して開口部Ｏを開放する。扉５の移動は、手動でなされても、モータ等の駆動装置によって自動でなされてもよい。本実施形態の開閉扉４は、一対の扉５、ガイドレールなどを有する。
【００３０】
図１に戻り、開口部の防水装置（以下、防水装置と呼ぶ）１は、シート１０、一対の保持部材２０、押圧部材３０と、補強板５０などを備える。シート１０は、開口部Ｏを塞ぐように補強板５０よりも屋外側に設置されるものであり、開口部Ｏの鉛直方向下端側の領域を閉塞することが可能な幅および長さを有している。シート１０の形状は、例えば、矩形である。シート１０は、遮水性を有しており、開口部Ｏの防水シートとして機能することができる。また、シート１０は、可撓性を有しており、伸縮可能であってもよい。シート１０の素材は、例えば、樹脂、ゴム、表面を樹脂などでコーティングした布とすることができる。シート１０は、水圧によって追従して変形可能な素材で構成されることが好ましい。
【００３１】
シート１０の幅は、開閉扉４の幅よりも大きい。また、シート１０の幅は、開口部Ｏの幅Ｗ（図１及び図２参照）よりも大きいことが好ましい。シート１０の鉛直方向の長さは、対応すべき水深に基づいて定められている。すなわち、開閉扉４の下端から鉛直方向上側に向けてどの範囲をシート１０によって覆い防水するかに基づいてシート１０の全長が定められている。以下の説明では、開閉扉４においてシート１０によって覆われるべき部分を「所定部」（図１の符号４１参照）と称する。所定部４１は、開閉扉４の鉛直方向下端側の部分である。
【００３２】
シート１０の幅方向の両端には、それぞれ、心材１１が配置されている。心材１１は、軽量でかつ可撓性を有する素材、例えば樹脂素材で形成されている。心材１１は、シート１０の幅方向の両端の上端から所定部４１の下端に対応する箇所、即ち、シート１０の幅方向の両端の後述のシート下部１３を除く箇所に配置されている。心材１１は、シート１０の長さ方向（鉛直方向）に延在している。心材１１は、円柱状に形成され、シート１０の壁部３及び扉５に対向する面に設けられ、保持部材２０のシート保持部２２に挿入可能である。
【００３３】
保持部材２０は、シート１０を開閉扉４よりも屋外側に位置付けて構造物Ｓに対して保持する。より詳しくは、保持部材２０は、開閉扉４の所定部４１と、構造物Ｓのうち所定部４１に隣接する部分とを一体に覆うことで開口部Ｏの鉛直方向下端側を閉塞させるようにシート１０を保持する。また、保持部材２０は、シート１０の鉛直方向下端部が床面７に沿って屋外側に向けて延在するようにシート１０の幅方向の両端を保持する。これにより、シート１０は、開閉扉４が有する隙間や開閉扉４と構造物Ｓとの隙間を塞ぎ、屋内側への浸水を抑制することができる。なお、本明細書では、シート１０の鉛直方向下端部であって、シート１０が保持部材２０によって保持された状態で床面７に沿って延在する部分を、以下「シート下部１３」と記載する。
【００３４】
図１に示すように、保持部材２０は、一対設けられ、縦方立３ａに着脱自在である。保持部材２０は、図１に示すように、縦方立３ａに取り付けられる取付部２１と、取付部２１に設けられたシート保持部２２とを備えている。
【００３５】
取付部２１とシート保持部２２とは、アルミニウム合金等で一体に構成されている。取付部２１は、平板状に形成されている。取付部２１は、縦方立３ａの表面に重ねられて、縦方立３ａに取り付けられる。シート保持部２２は、断面Ｃ字形に形成され、かつ取付部２１の表面上に設けられている。シート保持部２２は、一対の保持部材２０同士が対向する面にスリット２２ａが形成されている。シート保持部２２は、スリット２２ａ内にシート１０の幅方向の端及び心材１１が挿入されることで、シート１０の幅方向の端を保持する。保持部材２０は、取付部２１が縦方立３ａに取り付けられると、鉛直方向に延在し、開閉扉４の所定部４１に対応する範囲に配置される。すなわち、保持部材２０は、開閉扉４の下端から所定部４１の上端までの範囲に対応して配される。なお、本発明では、保持部材２０は、防水装置１の防水性能等の使用上の問題がないような実質的な意味で開閉扉４の所定部４１に対応していればよく、例えば、保持部材２０の上端は必ずしも所定部４１の上端と一致せず、若干下側に位置していてもよい。保持部材２０は、シート１０に一体に形成されても良い。保持部材２０を構成する材質は、シート１０を保持できれば任意であり、アルミニウム合金に替えて、例えば、硬質性の樹脂等でもよい。保持部材２０のシート保持部２２のスリット２２ａの幅は、シート１０と心材１１をあわせた厚みよりも小さいため、心材１１がスリット２２ａを介してシート保持部２２から抜け出ることが規制される。なお、心材１１は、円柱状のものには限定されず、例えば、断面が矩形などの多角形の平板状であってもよい。
【００３６】
押圧部材３０は、シート１０のシート下部１３上に配置されて、シート１０を構造物Ｓ及び床面７に向けて押圧するものであり、例えばシート１０を床面７、構造物Ｓの壁部３、縦方立３ａ，５ａおよび開閉扉４の各扉５に向けて押圧する。押圧部材３０は、図１に示すように、シート下部１３上の開口部Ｏの幅方向に沿って連続的に配置される。押圧部材３０は、隙間無く配置されても、隣接する押圧部材３０間に所定の隙間を設けて配置されても良い。押圧部材３０は、棒状あるいは板状であることが好ましい。本実施形態に係る押圧部材３０は、板状のフラットバーである。押圧部材３０は、例えば、金属製であり、浮力に抗してシート１０のシート下部１３を床面７に向けて押圧することができる質量や密度を有している。押圧部材３０は、シート下部１３が床面７に沿って配置された後でシート下部１３上に設置される。これにより、押圧部材３０は、開閉扉４の下端部の近傍においてシート１０を床面７に密着させておくことができる。押圧部材３０は、一本でもよいし、複数に分割されていても結果として開口部Ｏの幅方向に沿って連続的に配置されていてもよい。なお、使用上における止水目的を達成できれば、連続的でなく、若干途切れている箇所があってもよい。
【００３７】
補強板５０は、開口部Ｏを開口状態で遮るように開閉扉４よりも屋外側でかつシート１０よりも屋内側に設置されて、シート１０のシート下部１３を除く幅方向の中央部を支持するものである。すなわち、シート１０は、補強板５０よりも屋外側に設置される。なお、開口状態とは、開閉扉４の一対の扉５が開口部Ｏの少なくとも一部を開放した状態をいう。実施形態１では、補強板５０は、平面形状が矩形状の平板状に形成されており、幅Ｗ１が開口部Ｏの幅Ｗよりも小さく形成されているとともに、設置時の鉛直方向の長さＬが所定部４１の高さよりも長く形成されている。また、補強板５０の長さＬは、要求性能によっては開口部Ｏに設置されたシート１０の上端より低い（もしくは所定部４１の高さよりも低い）ものであってもよく、この場合、防水装置１は、長さＬと同等までの水位に対応できる。補強板５０の長さＬは、人が跨げる程度であることが望ましく、例えば、１６（建築基準法施行令に定められた小学校の児童の階段の蹴上げ寸法の上限）ｃｍから３８（ＪＩＳ（日本工業規格）  Ｓ  １０２１における身長１５０ｃｍの人の教室用椅子４号の座面の高さ）ｃｍ程度であるのが望ましい。また、補強板５０の長さＬは、止水高さの要望次第では椅子などを台にして跨ぐことを前提に１ｍ程度まででもよく、脚立などを使って渡ることを前提に１．５ｍ程度まででもよい。また、補強板５０として、余分な押圧部材３０を長尺方向を横にした状態で使用してもよく、この場合、例えば、押圧部材３０の幅が１０ｃｍである場合には、補強板５０の長さＬは、１０ｃｍとなる。
【００３８】
補強板５０は、開口部Ｏの一部としての中央部を開放した開閉扉４の一対の扉５の扉側縦方立５ａの屋外側に立て掛けられて設置されている。即ち、実施形態１では、補強板５０は、開口部Ｏの中央部を開口した開閉扉４の一対の扉５間を塞ぐように、扉側縦方立５ａの屋外側に立て掛けられて、開口部Ｏを遮るように設置されている。そして、補強板５０は、シート１０に水圧が作用しても、シート１０のシート下部１３を除く幅方向の中央部と密着して、シート１０が開口部Ｏの中央部を通して屋内側に倒れることを規制する。
【００３９】
補強板５０は、図３に示すように、補強板本体５１と、補強板本体５１の外縁部に取り付けられた枠部５２とを備えている。補強板本体５１は、図４に示すように、内部に多数の空隙としての気泡が設けられかつ平板状に形成された発泡材料５１ａ（軽量部材に相当）と、発泡材料５１ａの両表面に取り付けられた板材５１ｂとを備える。発泡材料５１ａは、合成樹脂に周知の発泡材を混入させて分散させた後、発泡成形されて、内部に多数の気泡が形成される。発泡材料５１ａは、多数の気泡が設けられているので、軽量化されている。また、本発明では、軽量部材として、発泡材料５１ａの他に、金属や紙などの種々の材料で構成されて多数の空隙が形成されたハニカム材料を用いてもよい。板材５１ｂは、アルミニウム合金などの金属やプラスチックなどの合成樹脂で構成されている。板材５１ｂは、発泡材料５１ａよりも薄い平板状に形成されている。
【００４０】
枠部５２は、補強板本体５１の外縁部全体に設けられている。枠部５２は、アルミニウム合金やステンレス鋼などの金属で構成されて、補強板本体５１の外縁に重ねられる外縁重なり部５２ａと、外縁重なり部５２ａから内側に屈曲して補強板本体５１の両表面に重ねられる表面重なり部５２ｂとを一体に備えている。
【００４１】
また、防水装置１は、シート１０の上端部に複数の吸盤４３を取り付けている。吸盤４３は、シート１０の上端部にシート１０の幅方向に間隔をあけて取り付けられている。吸盤４３は、開閉扉４の扉５及び補強板５０に吸着する。また、本発明では、吸盤４３の全て又は一部をピンチ（クリップ）、粘着材、フック、ファスナー、ひも、鋲などの他の止着手段に置き換えてもよく、また、シート１０を止着手段（例えば、吸盤４３等）で補強板５０に止着することは、シート１０の撓み抑制の必要性に応じておこなえばよい。
【００４２】
次に、シート１０を開口部Ｏに設置する方法、即ち、実施形態１に係る防水装置１を組み立てる方法を説明する。
【００４３】
シート１０を開口部Ｏに設置する即ち防水装置１を組み立てる場合、まず、縦方立３ａに保持部材２０を取り付けるとともに、開閉扉４の扉５により開口部Ｏの中央部を開放させる。
【００４４】
そして、扉５の扉側縦方立５ａに補強板５０の幅方向の両端部を立て掛け、シート１０の幅方向の両端及び心材１１を、保持部材２０の上端からシート保持部２２内に挿入し、シート１０の両端及び心材１１を保持部材２０の下端に向けてシート保持部２２内で移動させる。そして、シート１０の両端及び心材１１が保持部材２０のシート保持部２２に挟持され、シート１０の心材１１が設けられていないシート下部１３を、保持部材２０の下端に設けられた間隙を通して、床面７上に引き出し、床面７に沿って屋外側に向けて延在させる。さらに、シート１０の上端部に取り付けられた吸盤４３を開閉扉４の扉５及び補強板５０に吸着する。
【００４５】
シート１０の幅は、開口部Ｏの幅Ｗ（図２参照）よりも大きく、以下に示すような幅に設定している。すなわち、シート１０の両端が保持部材２０によって保持された状態で、シート１０は、若干のたるみを有している。つまり、保持部材２０は、シート１０がたるみを有した状態でシート１０を保持し、シート１０が保持部材２０よりも開閉扉４側に向けて撓むことを許容する。また、シート１０の幅と、開口部Ｏの幅Ｗとの寸法差に応じて、シート１０を適宜折りたたんで、開口部Ｏに設置されたシート１０が若干のたるみを有してもよい。
【００４６】
また、シート１０の鉛直方向の長さは、開閉扉４の所定部４１の鉛直方向の長さよりも長く、以下に示すような長さに設定している。すなわち、シート１０が保持部材２０によって保持された状態で、シート下部１３を床面７上に垂らし、床面７に沿わせることが可能である。シート１０は、このシート下部１３を床面７に沿って屋外側に向けて延在された状態で設置される。言い換えると、シート１０は、シート下部１３に設けられた床面７と対向し、かつシート下部１３が先端側へ向かうに従い開閉扉４から離間するように配置される。
【００４７】
そして、押圧部材３０をシート下部１３上に配置する。こうして、シート１０が所定部４１と壁部３の所定部４１に隣接する部分とを一体に覆いかつシート下部１３が床面７に沿って屋外側に向けて延在した状態で、押圧部材３０によりシート１０を床面７、構造物Ｓの壁部３、縦方立３ａおよび開閉扉４の各扉５に向けて押圧する。こうして、防水装置１が組み立てられる。
【００４８】
本実施形態の防水装置１では、洪水やゲリラ豪雨等によって屋外の水嵩が増すと、まずシート下部１３が水に接する。水圧によってシート下部１３は床面７に向けて押圧されて、シート下部１３が床面７に密着する。これにより、シート下部１３と床面７との間から水が浸入することが抑制される。また、押圧部材３０によってシート下部１３が床面７に向けて押圧されていることで、低水位の場合であってもシート下部１３と床面７との隙間を介した浸水がより確実に抑制される。また、押圧部材３０は、水流等によってシート下部１３が浮き上がることを抑制することが可能である。シート１０は、水圧によって所定部４１と、所定部４１に隣接する床面７とを一体に覆うことができる。
【００４９】
また、シート１０において、縦方立３ａ，５ａおよび開閉扉４の各扉５を覆う部分は、水圧によって壁部３、縦方立３ａ、開閉扉４の各扉５および補強板５０に向けて押圧される。これにより、シート１０は、開閉扉４の所定部４１と、構造物Ｓのうち所定部４１に隣接する部分とを一体に覆うことができる。シート１０は、水圧によって押圧されることにより、壁部３、縦方立３ａ、補強板５０等に密着し、シート１０と壁部３、縦方立３ａおよび補強板５０の間に水が浸入することを抑制することができる。
【００５０】
また、シート１０は、水圧によって壁部３、縦方立３ａおよび補強板５０の間の隙間を塞ぐことで、これらの隙間を介した屋内側への浸水を抑制することができる。シート１０は、水圧によって開閉扉４の所定部４１と、所定部４１に隣接する床面７との隙間を塞ぐことで、開口部Ｏからの屋内側への浸水を抑制することができる。
【００５１】
シート１０は、水圧によって壁部３、縦方立３ａ、開閉扉４の各扉５および補強板５０に対して押圧されるため、水位が増加するに従い壁部３、縦方立３ａ等に対する密着性が増し、また各隙間を閉塞する閉塞性が増す。よって、シート１０は、水位に応じて遮水性能が増し、適切に屋内側への浸水を抑制することができる。
【００５２】
また、シート１０は、水圧によって壁部３、縦方立３ａ、開閉扉４の各扉５および補強板５０に対して押圧されても、補強板５０が開口部Ｏの中央部を開口した開閉扉４の扉５の扉側縦方立５ａに立て掛けられているので、開口部Ｏの中央部を通して構造物Ｓに出入りすることができる。このために、防水装置１を開口部Ｏに設置した状態であっても、図１に示すように、開口部Ｏを通して構造物Ｓに出入りすることができる。
【００５３】
実施形態１に係る防水装置１によれば、シート１０と開閉扉４との間に開口部Ｏを遮るように補強板５０を設けているので、開閉扉４が開口部Ｏの少なくとも一部を開放した状態でもシート１０に作用する水圧を補強板５０が支えることとなるので、開口部Ｏからの浸水を抑制することができる。このように、開閉扉４が開口部Ｏの少なくとも一部を開放した状態で補強板５０を設置することで、少なくとも一部の開放された開口部Ｏを通して出入りすることができる。したがって、防水装置１は、開口部Ｏへの設置後に、開口部Ｏから出入りすることを可能とすることができる。
【００５４】
また、防水装置１は、補強板５０が開口部Ｏの中央部を開放した開閉扉４の扉側縦方立５ａに立て掛けられているので、補強板５０の幅Ｗ１を開口部Ｏの幅Ｗよりも小さく形成されているので、補強板５０の薄型化、軽量化を図ることができる。さらに、防水装置１は、シート１０により開口部Ｏからの浸水を抑制するので、軽量化を図ることができ、開口部Ｏに設置されない状態では、シートを折りたたむことができ、コンパクトに収納しておくことができる。
【００５５】
防水装置１は、補強板５０が開口部Ｏの一部を開放した開閉扉４の扉側縦方立５ａに立て掛けられているので、設置後に補強板５０が倒れることを抑制して開口部Ｏからの浸水を抑制できるとともに、開放された開口部Ｏの一部を通して構造物Ｓに出入りすることができる。防水装置１は、補強板５０の鉛直方向の長さＬは、１６ｃｍから３８ｃｍであるので、開口部Ｏへの設置後に、開口部Ｏから出入りすることを確実に可能とすることができる。
【００５６】
防水装置１では、補強板５０が板材５１ｂ間に発泡材料５１ａを設けているので、板材５１ｂ間の間隔を確保して、補強板５０自体の強度を確保することができる。また、板材５１ｂ間に設けられた発泡材料５１ａは多数の空隙が設けられているので、発泡材料５１ａ、即ち、補強板５０の軽量化を図ることができる。したがって、補強板５０の軽量化と強度の確保との両立を図ることができる。また、実施形態１では、補強板５０がシート１０を支えているが、本発明では、前述した構成の補強板５０を、開口部Ｏからの浸水を抑制する所謂止水板として用いてもよい。
【００５７】
［実施形態２］
図５を参照して、実施形態２について説明する。実施形態２は、構造物の開口部を防水する開口部の防水装置に関する。図５は、本発明の実施形態２に係る開口部の防水装置を示す斜視図である。図５において、実施形態１と同一部分には、同一符号を付して説明を省略する。
【００５８】
実施形態２に係る防水装置１は、補強板５０の幅Ｗ１が開口部Ｏの幅Ｗよりも大きく形成されて、縦方立３ａの屋外側に立て掛けられて設置されている。実施形態２では、補強板５０は、開口部Ｏを囲む縦方立３ａ間を塞ぐように、縦方立３ａの屋外側に立て掛けられて、開口部Ｏを遮るように設置されている。そして、補強板５０は、シート１０に水圧が作用しても、シート１０のシート下部１３を除く幅方向の中央部と密着して、シート１０が開口部Ｏの中央部を通して屋内側に倒れることを規制する。また、実施形態２に係る補強板５０は、実施形態１と同様な構造に構成されている。実施形態２に係る防水装置１は、前述した実施形態１と同様に開口部Ｏに設置される。実施形態２では、すべての吸盤４３は、補強板５０に吸着している。
【００５９】
実施形態２に係る防水装置１によれば、実施形態１と同様に、開口部Ｏへの設置後に、開口部Ｏから出入りすることを可能とすることができる。また、実施形態２に係る防水装置１では、補強板５０が開口部Ｏを囲む縦方立３ａに立て掛けられているので、開口部Ｏの中央部や全体を開放した状態、即ち開口部Ｏの少なくとも一部を開放した状態でも確実に設置することができる。また、補強板５０が開口部Ｏを囲む縦方立３ａに立て掛けられているので、設置後に補強板５０が倒れることを抑制して浸水することを抑制できるとともに、開放された開口部Ｏを通して構造物Ｓに出入りすることができる。
【００６０】
［変形例１］
図６を参照して、変形例１について説明する。図６は、本発明の実施形態１及び２の変形例１に係る開口部の防水装置の補強板等を示す斜視図である。図６において、実施形態１及び２と同一部分には、同一符号を伏して説明を省略する。
【００６１】
変形例１に係る補強板５０−１は、図６に示すように、開口部Ｏを遮るように開閉扉４よりも屋外側に設置される補強部５１−１と、補強部５１−１の下端に連なりかつ床面７に重ねられる床載置部５２−１とを備えて、側方からみて、くの字型形状に形成されている。補強部５１−１と床載置部５２−１は、実施形態１及び２の補強板５０と同様な構造に構成されている。補強部５１−１の両表面と床載置部５２−１の両表面とは、互いに直交している。図６に示された変形例１では、補強板５０−１は、幅Ｗ１が開口部Ｏの幅Ｗよりも小さく形成されているとともに、長さＬが所定部４１の高さよりも長く形成されている。補強板５０−１の補強部５１−１は、開口部Ｏの一部としての中央部を開放した開閉扉４の一対の扉５の扉側縦方立５ａの屋外側に立て掛けられて設置されている。即ち、実施形態１では、補強板５０−１の補強部５１−１は、開口部Ｏの中央部を開口した開閉扉４の一対の扉５間を塞ぐように、扉側縦方立５ａ間に立て掛けられて、開口部Ｏを遮るように設置されている。そして、補強板５０−１は、シート１０に水圧が作用しても、シート１０の幅方向の中央部と密着して、シート１０が開口部Ｏの中央部を通して屋内側に倒れることを規制する。
【００６２】
変形例１に係る防水装置１によれば、実施形態１と同様に、開口部Ｏへの設置後に、開口部Ｏから出入りすることを可能とすることができる。また、変形例１に係る防水装置１では、補強板５０−１が補強部５１−１と床載置部５２−１とを備えているので、床載置部５２−１を床面７上に設置すると、補強部５１−１が倒れることを抑制できる。したがって、開口部Ｏの少なくとも一部を開放した状態であっても、シート１０により開口部Ｏからの浸水をより確実に抑制することができる。なお、図６に示した例では、補強板５０−１の補強部５１−１を扉側縦方立５ａの屋外側に立て掛けたが、本発明では、補強板５０−１の幅Ｗ１を開口部Ｏの幅Ｗよりも大きくして、補強板５０−１の補強部５１−１を縦方立３ａの屋外側に立て掛けてもよい。
【００６３】
［変形例２及び変形例３］
図７及び図８を参照して、変形例２及び変形例３について説明する。図７は、本発明の実施形態１及び２の変形例２に係る開口部の防水装置の補強板を示す斜視図であり、図８は、本発明の実施形態１及び２の変形例３に係る開口部の防水装置の補強板を示す斜視図である。なお、図７及び図８において、実施形態１及び２と同一部分には、同一符号を伏して説明を省略する。
【００６４】
図７に示された変形例２では、補強板５０−２は、金属線などを格子状に結びつけて編み込まれた金網部５１−２と、金網部５１−２の外縁を覆う枠部５２−２とを備えている。図８に示された変形例３では、補強板５０−３は、金属などで構成され、枠部５１−３と、枠部５１−３の内側を格子状とする複数の骨部材５２−３とを備えている。このように、本発明では、シート１０に作用する水圧に耐えることが可能な構造であれば、補強板５０，５０−１，５０−２，５０−３の構造として種々のものを用いてもよい。
【００６５】
また、実施形態１では、開閉扉４の扉側縦方立５ａの屋外側に補強板５０を立て掛け、実施形態２では、縦方立３ａの屋外側に補強板５０を立て掛けている。しかしながら、本発明では、特に変形例１のように、シート１０に水圧が作用しても補強板５０，５０−１，５０−２，５０−３が自立可能であれば、補強板５０，５０−１，５０−２，５０−３を開閉扉４や縦方立３ａに立て掛けることなく、床面７上に設置してもよい。また、本発明では、補強板５０，５０−１，５０−２，５０−３を立て掛けるのは、壁部３では縦方立３ａ以外の部分でもよく、開閉扉４では扉側縦方立５ａ以外の部分でもよい。さらに、補強板５０，５０−１，５０−２，５０−３の左右一方の端部側を壁部３に、左右他方の端部側を開閉扉４に立て掛けてもよい（このとき、補強板５０，５０−１，５０−２，５０−３の幅Ｗ１は、開口部Ｏの幅Ｗよりも大きくても小さくても同等でもよい）。
【００６６】
また、本発明では、開閉体として、片開き引戸、引き違い引戸、屋内側に回動する開き戸、折り畳み戸、引戸と開き戸からなる親子扉、カーテン部に潜り戸を設けたシャッター、袖扉を有しその袖扉と一緒に開口部Ｏを閉鎖するシャッター、格子状の門扉であってもよい。さらに、本発明では、開閉体は、防水装置１を設置している間常時出入り可能に開けたままとするものでもよいし、状況に応じて開閉するものでもよい。
【００６７】
上記の実施形態及び変形例に開示された内容は、適宜組み合わせて実施することができる。
【符号の説明】
【００６８】
１  開口部の防水装置
３ａ  縦方立（壁部）
４  開閉扉（開閉体）
７  床面
１０  シート
１３  シート下部（鉛直方向下端部）
２０  保持部材
４１  所定部
５０  補強板
５１ａ  発泡材料（軽量部材）
５１ｂ  板材
５０−１  補強板
５１−１  補強部
５２−１  床載置部
５０−２，５０−３  補強板
Ｏ  開口部
Ｓ  構造物
【図１】
2015140563.tif 000003
【図２】
2015140563.tif 000004
【図３】
2015140563.tif 000005
【図４】
2015140563.tif 000006
【図５】
2015140563.tif 000007
【図６】
2015140563.tif 000008
【図７】
2015140563.tif 000009
【図８】
2015140563.tif 000010